(57)【要約】      （修正有）【課題】工数、製作コストの面で好都合で、従って、安価に提供できる傾斜型のツインコイルクリップと、これを用いた顔面保護具を提供する。【解決手段】ツインコイルクリップ１１０は、１本の線から構成され、一端と他端との両側に各々複数巻のコイルを備え、複数巻のコイルは、巻き回された線間に板状体を挟み保持するもので、顔面保護具は、透明保護カバーとこれを保持したツインコイルクリップ２個で構成される。【選択図】図１
0003227988.tif 000002
【実用新案登録請求の範囲】
【請求項１】
１本の線から構成され、一端と他端との両側に各々複数巻のコイルを備え、前記複数巻のコイルは、巻き回された線間に板状体を挟み保持するためのものであることを特徴とするツインコイルクリップ。
【請求項２】
前記一端と他端にある二つのコイルは、４５°から９０°の間で、互いに傾斜していることを特徴とする請求項１記載のツインコイルクリップ。
【請求項３】
前記一端と他端にある二つのコイルの巻き回された径が、互いに異なっていることを特徴する請求項１または請求項２記載のツインコイルクリップ。
【請求項４】
請求項１から請求項３のいずれか１つに記載のツインコイルクリップを最低限２個と、顔面を保護する透明保護カバーとを有し、前記ツインコイルクリップの各々において、
一方の前記コイルは、前記透明保護カバーを挟み保持することで構成され、他方の前記コイルは、帽子・ヘルメットなど頭部装着具を挟み保持することに供されることを特徴とする顔面保護具。
【考案の詳細な説明】
【技術分野】
【０００１】本考案は、両側にクリップを有するツインクリップと、これを用いた、既存の帽子・ヘルメット等に取付け外しが可能な顔面保護具に関するものである。
【背景技術】
【０００２】従来、両側にクリップを有するツインクリップとして、特許文献１、特許文献２に見いだすことができ、図３の３−１、３−２に示す。更に、二つのクリップの間の傾きが変えられるものとして、３−３のものが市販されている。
図４には、既に所有する帽子に取り付け外しが可能な顔面保護具の従来例を示す。４−１、４−２のものは、各々、特許文献３、特許文献４に見いだすことができる。
４−１のものは、帽子側を挟むクリップと、このクリップに回転が可能な棒を備え、保護カバー側には、棒に差し込む管状体が付いている。棒に管状体を差し込み・抜きにより、保護カバーの取り付け・外しができる。４−２のものは、メッシュ強化された保護カバーと、これに付いたクリップで構成され、既に所有する帽子の鍔の３か所で取付け・外しができる。
４−１の構成は、クリップ側が複雑、管状体の取り付け加工がやや余分の工数がかかる。
４−２の構成は、使用するクリップが、図３に示すようなものとなり、製作コスト的に課題がある。従来のものより、もっと簡単にできて、安価に提供できないか、この観点において、従来のツインクリップと、それを用いる顔面保護具は、改善すべきものであった。
【先行技術文献】
【特許文献】
【０００３】
【特許文献１】実用新案登録第３０３０３７７
【特許文献２】公開実用新案  昭５６−１７０３０９
【特許文献３】特許第３８８３９９４号
【特許文献４】特許第５９５２７５２号
【考案の概要】
【考案が解決しようとする課題】
【０００４】本願の課題は、工数、製作コストの面で好都合で、従って、安価に提供できるツインコイルクリップと、これを用いた顔面保護具を提供することである。
【課題を解決するための手段】
【０００５】  以下請求項に沿い記述する。
請求項１記載の考案は、ツインコイルクリップであって、
１本の線から構成され、一端と他端との両側に各々複数巻のコイルを備え、前記複数巻のコイルは、巻き回された線間に板状体を挟み保持するためのものであることを特徴とする。【０００６】請求項２記載の考案は、請求項１記載のツインコイルクリップにおいて、
前記一端と他端にある二つのコイルは、４５°から９０°の間で、互いに傾斜していることを特徴とする。【０００７】請求項３記載の考案は、請求項１または請求項２記載のツインコイルクリップにおいて、前記一端と他端にある二つのコイルの巻き回された径が、互いに異なっていることを特徴する。【０００８】請求項４記載の考案は、顔面保護具であって、
請求項１から請求項３のいずれか１つに記載のツインコイルクリップを最低限２個と、顔面を保護する透明保護カバーとを有し、前記ツインコイルクリップの各々において、
一方の前記コイルは、前記透明保護カバーを挟み保持することで構成され、他方の前記コイルは、帽子・ヘルメットなど頭部装着具を挟み保持することに供されることを特徴とする。
【考案の効果】
【０００９】  以上の様に構成されているので、本考案によるツインコイルクリップとこれを用いた顔面保護具では、工数、製作コストの面で好都合で、従って、安価に提供できる。
【図面の簡単な説明】
【００１０】
【図１】本考案にかかるツインコイルクリップの一実施態様を示す図である。
【図２】本考案にかかるツインコイルクリップを用いた顔面保護具の一実施態様を示す図である。
【図３】従来のツインクリップの例を示す図である。
【図４】既に所有する帽子に取り付け外しが可能な従来の顔面保護具の例を示す図である。
【考案を実施するための形態】
【００１１】図１は、本考案にかかるツインコイルクリップの一実施態様を示す図である。
１−１には、実際のツインコイルクリップ２個を撮影した写真を示す。
１−２では、１個について、Ａ：図１の大きいコイル側を真上から見た図で、小さなコイル側は傾斜している。Ｂ：大きいコイル側を真横から見た図で、小さなコイル側の傾斜がよく分かる。Ｃ：小さなコイル側が真上から見える図となっている。
このように、本願のツインコイルクリップは、一本の線の両端側に、曲加工して２〜３回巻（複数回であれば、何度巻いてもよいが、余分になる）のコイルを２つ作った構成であり、材料は一本の線のみ、加工は、コイル状の曲げ加工と両コイル間を傾斜させる曲げ加工のみでできるので、極めて、工数、製作コストの面で有利である。二つのコイルのサイズは、コイルに挟まれ保持されるものにより決めればよい。図では、図２で示す例の場合に使用するもので、大きいサイズのコイルは、帽子の鍔に、小さいサイズのコイルは、保護カバーに挟むようにサイズを決めている。一つのコイル内での異径も可能である。
尚、巻き回されたコイルの形状は、円形のみに限らず、楕円、ゼムクリップ形状も採用できる。巻き回された線間に紙、カバーシート、帽子・ヘルメット等の鍔や、布など、板状体を挟み保持する為に複数の巻き回となるが、上記のように２〜３回が適当である。
【００１２】図２は、本考案にかかるツインコイルクリップを用いた顔面保護具の一実施態様を示す図である。顔面保護具は、ツインコイルクリップ１１０を左右用に２個と、顔面を保護する透明保護カバー２１０を有し、コイルクリップの一方は、透明保護カバー２１０を挟み保持することで構成し、他方は、帽子・ヘルメットなどをを挟み保持することに供される。鍔に付ける場合には、図１のように二つのコイル間が、傾斜している方がよい。傾斜角は、約４５°から９０°の間が推奨される。図２では、顔面保護具２００の写真を示すが、透明保護カバー２１０は、見やすいように輪郭を点線枠で囲っている。２−１では、２つのツインコイルクリップ１１０を透明保護カバー２１０の左右の上部を挟み保持したもので、これを帽子２２０の鍔に挟み付けた状態が２−２である。同様に、２−３では、２つのツインコイルクリップ１１０を透明保護カバー２１０の左右の横側（上部に近い横側）を挟み保持したもので、これを帽子２２０の鍔に挟み付けた状態が２−４である。
以上のように、ツインコイルクリップは、それ自体が安価に提供できるだけでなく、顔面保護具が、容易に構成できる。
【産業上の利用可能性】
【００１３】以上のように本考案にかかるツインコイルクリップは、工数、製作コストの面で好都合で、安価に提供でき、これを利用した顔面保護具は、安価かつ容易に構成ができるので、産業上利用して極めて好都合である。【００１４】  １１０  ツインコイルクリップ
２００  顔面保護具
２１０  透明保護カバー
２２０  帽子
【図１】
0003227988.tif 000003
【図２】
0003227988.tif 000004
【図３】
0003227988.tif 000005
【図４】
0003227988.tif 000006